(57)【要約】【課題】  光による演出が可能な発光指針を有する車両用計器を提供する。【解決手段】  発光指針２の指示部２ａを、上側導光部１１と下側導光部１２とにより構成する。上側導光部１１では、その入射面１１ｂから入射された上側導光部用光源１３の光を、上面１１ｅから出射し、赤色で発光させる。下側導光部１２では、その入射面１２ｂから入射された下側導光部用光源１４からの光を、先端面１２ａおよび底面１２ｄから出射させる。これにより、発光指針２から、文字盤１の目盛１ｂが形成されている面１ｅの一部２１と、文字１ａが形成されている面１ｄの一部２２とを、青色で照明する。【選択図】        図２
2006266874.tif 000002
【特許請求の範囲】
【請求項１】
表示部（１ａ、１ｂ）を有する文字盤（１）と、
発光しながら、前記表示部（１ａ、１ｂ）を指し示す指示部（２ａ）を有する前記文字盤（１）上を回動する発光指針（２）とを備える車両用計器において、
前記指示部（２ａ）は、光が入射される第１の入射面（１１ｂ）と、前記第１の入射面（１１ｂ）から入射された光を、前記発光指針（２）の表側に向けて出射する第１の出射面（１１ｅ）とを有する第１の導光部（１１）と、
前記第１の導光部（１１）の裏側に配置されており、光が入射される第２の入射面（１２ｂ）と、前記第２の入射面（１２ｂ）から入射された光を、前記第１の出射面（１１ｅ）から出射される光と異なる方向に出射する第２の出射面（１２ａ、１２ｄ）とを有する第２の導光部（１２）とから少なくとも構成され、
前記第１の入射面（１１ｂ）に光を照射する第１の光源（１３）と、前記第２の入射面（１２ｂ）に光を照射する第２の光源（１４）とを備えることを特徴とする車両用計器。
【請求項２】
前記第１の光源（１３）と前記第２の光源（１４）の両方もしくはどちらか一方のみを点灯させる制御手段（１８）を有することを特徴とする請求項１に記載の車両用計器。
【請求項３】
前記第２の導光部（１２）から出射される光の色が、前記第１の導光部（１１）から出射される光と異なる色となっていることを特徴とする請求項１または２に記載の車両用計器。
【請求項４】
前記第２の出射面（１２ｄ）が、前記発光指針（２）の裏側に位置していることを特徴とする請求項１ないし３のいずれか１つに記載の車両用計器。
【請求項５】
前記第２の出射面（１２ａ）が、前記発光指針（２）の先端に位置していることを特徴とする請求項１ないし４のいずれか１つに記載の車両用計器。
【発明の詳細な説明】
【技術分野】
【０００１】
本発明は、車両用計器に関するものである。
【背景技術】
【０００２】
図３に、発光指針の一例を示す。従来、車両用計器の１つとして、発光指針を有するものがある。また、発光指針としては、図３に示すように、発光指針２の指示部が、上下二段の導光部３１、３２で構成され、１つの光源から各導光部３１、３２に光が入射される構造のものがある。なお、指示部とは、文字盤１上の文字や目盛等の表示部を指し示す部分である。
【０００３】
この発光指針２では、上側導光部３１は、上側導光部３１に入射された光を視認者側に向けて反射させ、下側導光部３２は、下側導光部３２に入射された光を、その先端部３２ａから文字盤１上の表示部に照射するようになっている。この発光指針２では、このように、発光指針２が視認者側に向けて単に発光するだけでなく、発光指針２の先端部３２ａから表示部をスポット的に照明することで、発光指針２が指示している表示部の視認性を向上させることを図っている（例えば、特許文献１参照）。
【特許文献１】特開２００４−２３３２９２号公報（第２図、第３図）
【発明の開示】
【発明が解決しようとする課題】
【０００４】
ところで、車両用計器の商品価値を高めるために、車両用計器に対して種々の演出効果を持たせることが行われている。例えば、イグニッションスイッチがＯＦＦ（オフ）からＯＮ（オン）になったときに、指針を回動させる等の指針の動きにより演出効果が図られている。
【０００５】
そして、このような指針の動きに加えて、もしくは、指針の動きの代わりに、指針の発光方法によっても何らかの演出ができることが望ましいと考えられる。
【０００６】
しかし、上記した従来の発光指針２は、導光部に入射する光を、上側と下側の導光部用に、分別していないことからもわかるように、単に表示部の視認性の向上を目的としたものであり、特に演出効果まで図ったものではなかった。
【０００７】
本発明は、上記点に鑑み、光による演出が可能な発光指針を有する車両用計器を提供することを目的とする。
【課題を解決するための手段】
【０００８】
上記目的を達成するため、請求項１に記載の発明では、指示部（２ａ）は、第１の導光部（１１）と、第２の導光部（１２）とから少なくとも構成され、第１の入射面（１１ｂ）に光を照射する第１の光源（１３）と、第２の入射面（１２ｂ）に光を照射する第２の光源（１４）とを備えることを特徴としている。  
【０００９】
ここで、第１の導光部（１１）は、光が入射される第１の入射面（１１ｂ）と、第１の入射面（１１ｂ）から入射された光を、発光指針（２）の表側に向けて出射する第１の出射面（１１ｅ）とを有している。また、第２の導光部（１２）は、第１の導光部（１１）の裏側に配置されており、光が入射される第２の入射面（１２ｂ）と、第２の入射面（１２ｂ）から入射された光を、第１の出射面（１１ｅ）から出射される光の方向と異なる方向に向けて出射する第２の出射面（１２ａ、１２ｄ）とを有している。
【００１０】
このように、車両用計器の構成を、第１の導光部と、第２の導光部とに対して、別々の光源により、光を照射する構成とすることで、請求項２に示すように、第１の光源と第２の光源の両方もしくはどちらか一方のみを点灯させることができ、発光指針の発光の様子を変化させることが可能となる。
【００１１】
したがって、本発明によれば、光による演出が可能な発光指針を有する車両用計器を提供することができる。
【００１２】
請求項２に記載の発明では、第１の光源（１３）と第２の光源（１４）の両方もしくはどちらか一方のみを点灯させる制御手段（１８）を有することを特徴としている。
【００１３】
この制御手段によって、第１の光源と第２の光源を同時に点灯させるだけでなく、第１の光源と第２の光源のそれぞれにおける点灯のタイミングを異ならせることで、光の演出を行うことができる。
【００１４】
また、請求項３に示すように、第２の導光部（１２）から出射される光の色を、第１の導光部（１１）から出射される光と異なる色とすることができる。
【００１５】
このように、発光指針の発光色を、光の出射方向ごとに異ならせることで、演出効果を高めることができる。なお、第１、第２の導光部の発光色を異ならせる方法として、例えば、第１、第２の光源の発光色を異ならせる方法や、第１、第２の導光部に異なる色の反射層を設ける方法を採用することができる。
【００１６】
また、請求項４に示すように、第２の導光部（１２）における第２の出射面（１２ｄ）の位置を、例えば、発光指針（２）の裏側の位置とすることができる。
【００１７】
これにより、文字盤のうち、発光指針の裏側に位置する部分を、第２の出射面から照明することができる。また、第１、第２の導光部の発光色を異ならせる場合では、文字盤のうち、発光指針の裏側に位置する部分を、発光指針自身の発光色とは異なる色の光で照明するという光の演出が可能となる。
【００１８】
また、請求項５に示すように、第２の導光部（１２）における第２の出射面（１２ａ）の位置を、例えば、発光指針（２）の先端の位置とすることができる。
【００１９】
これにより、発光指針の先端が指し示す表示部を、第２の出射面から照明することができる。また、第１、第２の導光部の発光色を異ならせる場合では、発光指針の先端が指し示す表示部を、発光指針自身の発光色とは異なる色の光で照明するという光の演出が可能となる。
【００２０】
なお、上記各手段の括弧内の符号は、後述する実施形態に記載の具体的手段との対応関係を示す一例である。
【発明を実施するための最良の形態】
【００２１】
（第１実施形態）
図１に、本発明の第１実施形態における車両用計器の正面図を示し、図２に、図１中のＡ−Ａ線断面図を示す。本実施形態では、本発明の車両用計器をタコメータに適用した場合を例として説明する。
【００２２】
図１に示すように、車両用計器を正面から見たとき、車両用計器は円形状であり、車両用計器は、文字盤１と発光指針２とを備えている。
【００２３】
文字盤１には、回転数を表す「１」、「２」等の文字１ａが円弧状に配置されており、さらに、それらの外周に目盛１ｂが円弧状に配置されている。文字１ａおよび目盛１ｂが本発明の表示部に相当する。文字盤１は、例えば、透明なアクリル樹脂等からなるシートに対して、文字１ａおよび目盛１ｂのみが透光性を有し、文字１ａおよび目盛１ｂを除く部分が不透光性となるように、印刷等を施すことにより形成される。
【００２４】
発光指針２は指示部２ａとキャップ２ｂとを有している。指示部２ａは、文字盤１の表面上を、文字１ａおよび目盛１ｂを指し示すように、回動するようになっている。
【００２５】
また、図２に示すように、文字盤１の前面側（視認者側）に、発光指針２が配置され、文字盤１の裏側に、基板３が配置されている。
【００２６】
文字盤１は、中央に開口部１ｃを有している。基板３には、開口部１ｃに対向する位置に、発光指針２を回動させる回動内機４が実装されている。したがって、開口部１ｃの内部に回動内機４の回動軸４ａが位置している。
【００２７】
また、文字盤１は、文字１ａが配置されている面１ｄが発光指針２の回動面Ｘに対して平行になっており、目盛１ｂが配置されている面１ｅが、発光指針２の回動面Ｘに対して斜めで、かつ、発光指針２の延長線上に位置する形状となっている。また、文字盤１は、基板３に実装されている文字盤用光源５により透過照明されるようになっている。  
【００２８】
発光指針２の指示部２ａは、図中上側に位置する上側導光部１１と、図中下側に位置する下側導光部１２とを有しており、導光部が上下二段構造となっている。なお、図２の上側が視認者側であり、本明細書では図中上側を表側、図中下側を裏側と呼ぶ。また、上側導光部１１、下側導光部１２が、それぞれ、本発明の第１の導光部、第２の導光部に相当する。
【００２９】
上側導光部１１および下側導光部１２は、キャップ２ｂに固定されており、各導光部１１、１２のうち、キャップ２ｂから露出している部分が、視認者に視認される。なお、キャップ２ｂには、回動内機４の回動軸４ａが固定されており、本実施形態では、キャップ２ｂが、発光指針２の指針基部と、文字盤１の開口部１ｃや指示部２ａの端部を覆う覆い部材とを兼ねている。
【００３０】
上側導光部１１および下側導光部１２は、透明性のアクリル樹脂等の透光性材料により構成されている。また、上側導光部１１および下側導光部１２は、図１、２に示すように、文字盤１の半径方向に、棒状に伸びた形状となっている。
【００３１】
そして、上側導光部１１および下側導光部１２は、図２に示すように、先端１１ａ、１２ａが同じ位置にあり、先端１１ａ、１２ａから回動軸４ａまでの長さが同じである。また、上側導光部１１および下側導光部１２は、図１に示すように、幅が同じ大きさである。このため、車両用計器を正面から見たときでは、下側導光部１２は、上側導光部１１で隠された状態となり、視認者に視認されない。
【００３２】
また、図２に示すように、上側導光部１１、下側導光部１２は、それぞれ、光が入射される入射面１１ｂ、１２ｂと、反射面１１ｃ、１２ｃとを有している。上側導光部１１の入射面１１ｂ、下側導光部１２の入射面１２ｂが、それぞれ、本発明の第１の入射面、第２の入射面に相当する。
【００３３】
各入射面１１ｂ、１２ｂは、文字盤１の開口部１ｃに位置している。そして、基板３のうち、開口部１ｃに対向する位置には、上側導光部用光源１３と、下側導光部用光源１４とが実装されており、各入射面１１ｂ、１２ｂは、各光源１３、１４と対向している。上側導光部用光源１３、下側導光部用光源１４が、それぞれ、本発明の第１の光源、第２の光源に相当する。
【００３４】
各入射面１１ｂ、１２ｂや各光源１３、１４の位置について、より詳細に説明すると、下側導光部１２の入射面１２ｂは、上側導光部１１の入射面１１ｃよりも回動軸４ａ側（文字盤１の中心側）に配置されている。したがって、文字盤１の面方向における下側導光部１２の全体の長さは、上側導光部１１よりも短くなっている。
【００３５】
一方、下側導光部用光源１４は、上側導光部用光源１３よりも回動軸４ａ側に配置されている。また、各光源１３、１４は、図１に示すように、発光指針２が回動したときの各入射面１１ｂ、１２ｂが描く円弧状の軌跡に沿って、基板３上に複数配置されている。なお、上側導光部用光源１３、下側導光部用光源１４としては、例えば、発光色が白色の光源が用いられる。
【００３６】
また、各光源１３、１４から照射された光は、図２に示すように、ケースの一部１５によって、遮蔽され、それぞれに対向する入射面１１ｂ、１２ｂに入射するようになっている。
【００３７】
そして、上側導光部１１では、入射面１１ｂから入射された光は、反射面１１ｃで反射して、先端１１ｃに向かって進むようになっている。上側導光部１１の底面（図中下側の面）１１ｄには、反射層としてのホットスタンプ層１６が設けられている。このため、反射面１１ｃからの光は、図２中矢印で示すように、このホットスタンプ層１６で反射して、上側導光部１１の上面１１ｅから出射する。上面１１ｅが本発明の第１の出射面に相当する。
【００３８】
このように、上側導光部１１からの光の出射面１１ｅは、発光指針２の表側に位置しており、発光指針２の表側に向けて光を出射する。このとき、ホットスタンプ層１６が赤色の場合、上側導光部１１の上面１１ｅから赤色の光が出射する。これにより、図１に示すように、赤色に発光した指示部２ａが視認者に視認される。なお、上側導光部１１の上面１１ｅだけでなく、側面から、文字盤１に対して平行な方向に、光を出射させても良い。
【００３９】
また、下側導光部１２でも、入射面１２ｂから入射された光が、反射面１２ｃで反射して、先端１２ｃに向かって進むようになっている。下側導光部１２では、反射面１２ｃと上面１２ｅとに反射層としてのホットスタンプ層１７が配置されており、このホットスタンプ層１７で反射した光が、図２中矢印で示すように、先端面１２ａと底面１２ｄとから出射するようになっている。先端面１２ａと底面１２ｄとが、本発明の第２の出射面に相当する。
【００４０】
このように、下側導光部１２からの光の出射面１２ａ、１２ｄは、発光指針２の先端と裏側に位置している。このとき、ホットスタンプ層１７が青色の場合、先端面１２ａと底面１２ｄとから青色の光が出射する。これにより、図１に示すように、文字盤１のうち、目盛１ｂが形成されている面１ｅであって、指示部２ａの延長線上に位置する領域２１と、文字１ａが形成された面１ｄであって、指示部２ａの裏側に位置する領域２２とが、青色の光で照明される。  
【００４１】
なお、上側導光部１１、下側導光部１２に配置されたホットスタンプ層１６、１７によって、各導光部１１、１２中の光が遮蔽され、一方の導光部から他方の導光部への光の進行が遮られているが、さらに、上側導光部１１と下側導光部１２との間に、黒の遮光層を配置することもできる。
【００４２】
また、図２に示すように、基板３には、制御手段としてのＩＣチップ１８が実装されている。ＩＣチップ１８は、上側導光部用光源１３と下側導光部用光源１４の両方を同時に点灯させたり、どちらか一方のみを点灯させたりすることで、発光指針２による光の演出を制御するものである。
【００４３】
まず、ＩＣチップ１８の制御によって、上側導光部用光源１３および下側導光部用光源１４の両方が点灯している場合では、指示部２ａは、赤色に発光しながら、文字盤１の前面上を回動する。このとき、指示部２ａから青色に照明された２つの領域２１、２２が、それぞれ、目盛１ｂが形成されている面１ｅ、文字１ａが形成されている面１ｄを、指示部２ａの動きに連動して、移動する。
【００４４】
そして、ＩＣチップ１８は、例えば、不要時では下側導光部用光源１４を消灯させ、上側導光部用光源１３のみを点灯させる。そして、必要時のみ、上側導光部用光源１３に加えて、下側導光部用光源１４を点灯させる制御を行うようになっている。具体的には、ＩＣチップ１８は、発光指針２が動くときのみ、下側導光部用光源１４を点灯させるようになっている。
【００４５】
これにより、発光指針２が動いていない状態では、指示部２ａは単に赤色に発光するだけであるが、発光指針２が回動するときでは、青色に照明された領域２１、２２が、文字盤１に表れ、その領域２１、２２が発光指針２と共に移動する。
【００４６】
また、ＩＣチップ１８は、逆に、上側導光部用光源１３を消灯させ、下側導光部用光源１４のみを点灯させる制御を実行するようにもなっている。例えば、イグニッションスイッチがＯＦＦからＯＮになったとき、発光指針２をゼロの位置から最大目盛まで移動させ、再び、発光指針２をゼロの位置に戻すという演出が行われる場合では、ＩＣチップ１８は、その発光指針２の動きによる演出時に、下側導光部用光源１４のみを点灯させ、上側導光部用光源１３を消灯させる制御を行うようになっている。
【００４７】
これにより、イグニッションスイッチがＯＦＦからＯＮになったときの発光指針２の動きによる演出時では、文字盤１の目盛１ｂが形成されている面１ｅ等に、青色に照明された領域２１、２２のみが表れ、この青色の領域２１、２２が回動する。
【００４８】
文字１ａ、目盛１ｂを発光指針２により指示する場合、上側導光部用光源１３を点灯させる必要があるが、そうでない場合であれば、このように、上側導光部用光源１３を消灯させることができる。
【００４９】
次に、本実施形態の主な特徴について説明する。
【００５０】
以上説明したように、本実施形態では、指示部２ａを、上側導光部１１と下側導光部１２とにより構成している。上側導光部１１は、その入射面１１ｂから入射された上側導光部用光源１３の光を、上面１１ｅから出射し、赤色で発光するようになっている。一方、下側導光部１２は、その入射面１２ｂから入射された下側導光部用光源１４からの光を、先端面１２ａおよび底面１２ｄから出射し、文字盤１の目盛１ｂが形成されている面１ｅの一部２１と、文字１ａが形成されている面１ｄの一部２２とを、青色で照明するようになっている。
【００５１】
このように、本実施形態では、上側導光部１１に光を照射する上側導光部用光源１３と、下側導光部１２に光を照射する下側導光部用光源１４とを別々に設けているので、ＩＣチップ１８の制御により、上側導光部用光源１３と下側導光部用光源１４の両方もしくはどちらか一方のみを点灯させ、１本の発光指針２における発光の様子を変化させることが可能となる。
【００５２】
すなわち、１本の発光指針２で、指示部２ａを赤色で発光させることと、文字盤１の目盛１ｂの形成されている面１ｅであって、指示部２ａの延長線上の領域２１を青色で照明し、文字盤１の文字１ａが形成されている面１ｄであって、指示部２ａの裏側に位置する領域２２を青色で照明することとを、同時に、もしくは、単独で行うという光の演出が可能となる。  
【００５３】
（他の実施形態）
（１）上記した実施形態では、ＩＣチップ１８が実行する上側導光部用光源１３と下側導光部用光源１４の両方およびどちらか一方を点灯させることによる光の演出の一例として、発光指針２が動くときのみ下側導光部用光源１４を点灯させる場合等を説明したが、他の演出も可能である。  
【００５４】
ＩＣチップ１８による制御により、例えば、常時、上側導光部用光源１３を点灯させ、指示部２ａの動く向きに応じて、下側導光部用光源１４を点灯、消灯させることもできる。すなわち、指示部２ａが上側（高回転側）に向かって移動するときでは、上側導光部用光源１３、下側導光部用光源１４の両方を点灯させ、指示部２ａが下側（低回転側）に向かって移動するときでは、下側導光部用光源１４を消灯させ、上側導光部用光源１３のみを点灯させることもできる。
【００５５】
これにより、指示部２ａが上側に向かって移動するときでは、指示部２ａを赤く発光させると共に、指示部２ａから文字盤１の一部の領域２１、２２を青色で照明し、一方、指示部２ａが下側に向かって移動するときでは、指示部２ａを赤色に発光させるのみという演出が可能となる。
【００５６】
また、他の例として、ＩＣチップ１８による制御により、上側導光部用光源１３を点灯させ、指示部２ａが所定の位置、例えば、高回転側の目盛１ｂの位置に達したときのみ、下側導光部用光源１４を点灯させることもできる。
【００５７】
これにより、指示部２ａが所定の位置に達したときでは、指示部２ａから文字盤１の一部の領域２１、２２に青色の光が照明されるので、視認者に対して、注意を促すことができる。
【００５８】
また、他の例として、ＩＣチップ１８による制御により、指示部２ａの動く速さに応じて、上側導光部用光源１３もしくは下側導光部用光源１４の明るさを変更させることもできる。
【００５９】
（２）上記した実施形態では、下側導光部１２が２つの出射面１２ａ、１２ｄを有する場合を例として説明したが、出射面を１つにすることもできる。すなわち、目盛１ｂが形成されている面１ｅであって、指示部２ａの延長線上に位置する領域２１と、文字１ａが形成された面１ｄであって、指示部２ａの裏側に位置する領域２２のどちらか一方のみを、下側導光部１２から青色の光で照明することもできる。
【００６０】
（３）上記した実施形態では、上側導光部１１、下側導光部１２に設けたホットスタンプ層１６、１７の色により、発光色を赤、青とする場合を例として説明した。これに対して、上側導光部用光源１３、下側導光部用光源１４として、発光色が赤色や青色の光源を用いることで、上側導光部１１、下側導光部１２の発光色をそれぞれ赤色、青色とすることもできる。
【００６１】
（４）上記した実施形態では、上側導光部１１の発光色を赤色とし、下側導光部１２の発光色を青色とする場合を例として説明したが、それぞれの色を他の色とすることもできる。また、上側導光部１１の発光色と、下側導光部１２の発光色とを同じ色とすることもできる。
【００６２】
（５）上記した実施形態では、目盛１ｂを文字盤１に設ける場合を例として説明したが、目盛１ｂが形成されている面１ｅを、文字盤１とは別の部材により構成することもできる。
【００６３】
例えば、文字１ａが形成されている文字盤１の外周に、リング状の外周リング部を配置し、その外周リング部に目盛１ｂを形成することもできる。このとき、外周リング部の形状を、上記した実施形態と同様に、目盛１ｂが形成されている面が、指示部２ａの回動面Ｘに対して斜めで、指示部２ａの延長線上に位置する形状とする。
【００６４】
（６）上記した実施形態では、指示部２ａを上下二段の導光部１１、１２で構成する場合を例として説明したが、上下三段以上の導光部で構成することもできる。
【００６５】
（７）上記した実施形態では、タコメータを例として説明したが、スピードメータ等の他の車両用計器においても、本発明を適用することができる。
【図面の簡単な説明】
【００６６】
【図１】本発明の第１実施形態における車両用計器の正面図である。
【図２】図１中のＡ−Ａ線断面図である。
【図３】従来における車両用計器の発光指針の断面図である。
【符号の説明】
【００６７】
１…文字盤、１ａ…文字、１ｂ…目盛、
１ｄ…文字が形成されている面、１ｅ…目盛が形成されている面、
２…発光指針、２ａ…指針部、２ｂ…キャップ、
１１、３１…上側導光部、１１ｅ…上面、１２、３２…下側導光部、
１２ａ…先端面、１２ｄ…底面、
１３…上側導光部用光源、１４…下側導光部用光源。
【図１】
2006266874.tif 000003
【図２】
2006266874.tif 000004
【図３】
2006266874.tif 000005